(57)【要約】【課題】  家具の梱包材を利用して、扉や抽斗等を、傷付けることなく、キャビネットの設置工事が終わるまで安全に保管することができ、しかも、内装壁や床面を傷付けることなく保管することができる養生スタンドを提供する。【解決手段】  家具の扉や抽斗の養生スタンドを、家具の段ボール等の梱包体で形成し、該段ボールには、組み立て用のスリット及び／又は切り込みを形成した。該段ボールには山折れ線を形成して、該段ボールを山折り線に沿って折り曲げ可能に形成すると共に、この山折り線と直交する方向に、扉を挟持可能なスリットや切り込みを開設して構成した。【選択図】図５
2007084110.tif 000002
【特許請求の範囲】
【請求項１】
家具の扉や抽斗の養生スタンドを、家具の梱包体で形成し、該梱包体には、組み立て用のスリット及び／又は切り込みが形成されていることを特徴とする養生スタンド。
【請求項２】
前記養生スタンドは、複数の梱包体を組み立てて形成されることを特徴とする請求項１に記載の養生スタンド。
【請求項３】
前記梱包体は、段ボールで形成されていることを特徴とする請求項１又は請求項２のいずれかに記載の養生スタンド。
【請求項４】
前記梱包体は、平板を山折り線に沿って折り曲げ可能に形成され、この山折り線と直交する方向に、扉を挟持可能なスリットが開設されていることを特徴とする請求項１乃至請求項３のいずれかに記載の養生スタンド。
【請求項５】
前記山折り線に沿って折り曲げられた梱包体は、断面形状が凹状に組み立てられた天板用キャップ或は底板用キャップに組み込まれて上記折り曲げ状態を保持するように構成されていることを特徴とする請求項４に記載の養生スタンド。
【請求項６】
前記平板を長尺に形成し、該平板のスリット形成部位の両側であって、板長軸と直交する方向に山折り線を夫々形成して座面部を形成可能に構成し、さらに、該平板の短辺部の一方に係止溝を開設し、他方の短辺部に、該係止溝に差し込み係止可能な係止片を突設したことを特徴とする請求項４に記載の養生スタンド。
【請求項７】
前記梱包体は、断面形状が凹状に組み立てられており、前記スリットは、天板部或は底板部から両側板部にかけて凹状に開設されていることを特徴とする請求項１乃至請求項３のいずれかに記載の養生スタンド。
【請求項８】
前記梱包体は、断面形状が凹状に組み立てられていると共に、山線に沿って折り曲げ可能に形成され、この山線と直交する方向に、扉を挟持可能なスリットが開設されていることを特徴とする請求項１乃至請求項３のいずれかに記載の養生スタンド。
【請求項９】
前記梱包体は、大きめの四角形の前面保護用板体と、家具のサイド保護用板体とを組み合わせて３つの抽斗を養生させるもので、前面保護用板体の両長辺部に切り込みを２条づつ対設し、該切込みが上に向くように凹状に折曲する一方、サイド保護用板体を逆凹状に折曲してその両端部下辺を上記切り込みに嵌合係止させ、該サイド保護用板体の逆凹状に折曲形成されて画成された空間部に一の抽斗を収納保持可能とし、さらに、上記サイド保護用板体の天板部を形成する部分に２つの爪片を起立可能に形成し、該爪片間に他の抽斗を収納し、さらに、上記起立させた爪片の上部を、さらに他の抽斗のレール部に嵌合形成させることで、３つの抽斗を養生可能に収納保持することを特徴とする請求項１乃至請求項３のいずれかに記載の養生スタンド。
【発明の詳細な説明】
【技術分野】
【０００１】
本発明は、流し台や洗面台等の家具を設置するときに、これらの扉や抽斗が傷つかないように保持する養生スタンドに関する。
【背景技術】
【０００２】
流し台や洗面台を建物に設置するときには、据付業者によりガス工事や給水・給湯配管工事及びコーキング工事等が必要となるため、前面の化粧扉や抽斗を一旦外して別の場所に保管し、キャビネット本体の設置が済んだ後に、該扉や抽斗を正規の取付け位置に取付け直すのが一般的である。
【０００３】
流し台の扉は、１セット毎に複数枚あり、工事現場で保管することは、扉が損傷を受ける危険性が高い。このような工事現場では、様々な仕事を同時に行っており、流し台や洗面台の設置工事以外の工事が行われることから、安全に保管し難いためである。また、上記扉には蝶番や把手などの金具類が取り付けられている場合が多く、扉面と金具類が擦れることによる損傷や、床面に置くことによる損傷も発生し易い。さらには、壁面に立て掛けることによる内装壁面や床面を傷付ける虞もある。これは抽斗も同様である。
【０００４】
ところで、流し台や洗面台等の家具は、施工現場まで、例えば特許文献１に示すような段ボールで梱包されて搬入されるのが一般的である。
【０００５】
【特許文献１】特開平７−２０６０５１号公報
【発明の開示】
【発明が解決しようとする課題】
【０００６】
この発明は、かかる現状に鑑み創案されたものであって、その目的とするところは、家具の梱包材を利用して、扉や抽斗等を、傷付けることなく、キャビネットの設置工事が終わるまで安全に保管することができ、しかも、内装壁や床面を傷付けることなく保管することができる養生スタンドを提供しようとするものである。
【課題を解決するための手段】
【０００７】
上記目的を解決するために、請求項１に記載の発明は、家具の扉や抽斗の養生スタンドを、家具の梱包体で形成し、該梱包体には、組み立て用のスリット及び／又は切り込みが形成されていることを特徴とする。
【０００８】
また、請求項２に記載の発明は、請求項１に記載の発明を技術的前提とし、前記養生スタンドは、複数の梱包体を組み立てて形成されることを特徴とする。
【０００９】
さらに、請求項３に記載の発明は、請求項１又は請求項２のいずれかに記載の発明を技術的前提とし、養生スタンドは、段ボールで形成されていることを特徴とする。
【００１０】
さらに、請求項４に記載の発明は、請求項１乃至請求項３のいずれかに記載の発明を技術的前提とし、前記梱包体は、平板を山折り線に沿って折り曲げ可能に形成され、この山折り線と直交する方向に、扉を挟持可能なスリットが開設されていることを特徴とする。
【００１１】
さらに、請求項５に記載の発明は、請求項４に記載の発明を技術的前提とし、前記山折り線に沿って折り曲げられた梱包体は、断面形状が凹状に組み立てられた天板用キャップ或は底板用キャップに組み込まれて上記折り曲げ状態を保持するように構成されていることを特徴とする。
【００１２】
さらに、請求項６に記載の発明は、請求項４に記載の発明を技術的前提とし、前記平板を長尺に形成し、該平板のスリット形成部位の両側であって、板長軸と直交する方向に山折り線を夫々形成して座面部を形成可能に構成し、さらに、該平板の短辺部の一方に係止溝を開設し、他方の短辺部に、該係止溝に差し込み係止可能な係止片を突設したことを特徴とする。
【００１３】
さらに、請求項７に記載の発明は、請求項１乃至請求項３のいずれかに記載の発明を技術的前提とし、前記梱包体は、断面形状が凹状に組み立てられており、前記スリットは、天板部或は底板部から両側板部にかけて凹状に開設されていることを特徴とする。
【００１４】
さらに、請求項８に記載の発明は、請求項１乃至請求項３のいずれかに記載の発明を技術的前提とし、前記梱包体は、断面形状が凹状に組み立てられていると共に、山線に沿って折り曲げ可能に形成され、この山線と直交する方向に、扉を挟持可能なスリットが開設されていることを特徴とする。
【００１５】
さらに、請求項９に記載の発明は、請求項１乃至請求項３のいずれかに記載の発明を技術的前提とし、前記梱包体は、大きめの四角形の前面保護用板体と、家具のサイド保護用板体とを組み合わせて３つの抽斗を養生させるもので、前面保護用板体の両長辺部に切り込みを２条づつ対設し、該切込みが上に向くように凹状に折曲する一方、サイド保護用板体を逆凹状に折曲してその両端部下辺を上記切り込みに嵌合係止させ、該サイド保護用板体の逆凹状に折曲形成されて画成された空間部に一の抽斗を収納保持可能とし、さらに、上記サイド保護用板体の天板部を形成する部分に２つの爪片を起立可能に形成し、該爪片間に他の抽斗を収納し、さらに、上記起立させた爪片の上部を、さらに他の抽斗のレール部に嵌合形成させることで、３つの抽斗を養生可能に収納保持することを特徴とする。
【発明の効果】
【００１６】
請求項１の発明によれば、家具の扉や抽斗の養生スタンドを、家具の梱包体で形成し、該梱包体には、組み立て用のスリット及び／又は切り込みを形成したので、一般には廃材となる家具の梱包材を利用して、扉や抽斗等を、傷付けることなく、キャビネットの設置工事が終わるまで安全に保管することができ、しかも、内装壁や床面を傷付けることなく保管することができ、使用後はこれを捨てることができるので、経済的である、という効果が得られる。尚、この発明において、梱包体は、請求項３でいう段ボールが最適であるが、厚紙や合成樹脂製シート、或は合成樹脂製のプラダンであっても構わない。また、スリットや切り込みは、予めミシン目で形成し、現場でミシン目に沿って破断することで形成してもよいが、予めスリットや切込みの位置や形状を印刷しておき、現場で作業員がカッターナイフ等で切断して形成してもよい。
【００１７】
また、請求項２の発明によれば、前記養生スタンドを、複数の梱包体を組み立てて形成することもできるので、部品の大きさに対応させて養生スタンドを容易に形成することができる。
【００１８】
さらに、請求項３の発明によれば、養生スタンドを段ボールで形成したので、取扱いが容易であり、スリットや切り込みを形成するのも容易である、という効果が得られる。
【００１９】
さらに、請求項４の発明によれば、前記梱包体は、平板を山折り線に沿って折り曲げ可能に形成され、この山折り線と直交する方向に、扉を挟持可能なスリットが開設したので、化粧扉を、把手や蝶番等と接触させることなく容易に立設保持させることができる。
【００２０】
請求項５の発明によれば、前記山折り線に沿って折り曲げられた梱包体は、断面形状が凹状に組み立てられた天板用キャップ或は底板用キャップに組み込まれて上記折り曲げ状態を保持するように構成したので、扉等を倒れない状態で安定的に保持することができる。
【００２１】
さらに、請求項６の発明によれば、前記平板を長尺に形成し、該平板のスリット形成部位の両側であって、板長軸と直交する方向に山折り線を夫々形成して座面部を形成可能に構成し、さらに、該平板の短辺部の一方に係止溝を開設し、他方の短辺部に、該係止溝に差し込み係止可能な係止片を突設したので、簡単な構成からなる養生スタンドを、自立した状態で扉等を倒れない状態で安定的に保持することができる。
【００２２】
さらに、請求項７の発明によれば、前記梱包体は、断面形状が凹状に組み立てられており、前記スリットは、天板部或は底板部から両側板部にかけて凹状に開設されているので、扉等を倒れない状態でより安定的に保持することができる。
【００２３】
さらに、請求項８の発明によれば、前記梱包体は、断面形状が凹状に組み立てられていると共に、山線に沿って折り曲げ可能に形成され、この山線と直交する方向に、扉を挟持可能なスリットが開設されているので、扉等を倒れない状態で安定的に保持することができる。
【００２４】
さらに、請求項９の発明によれば、前記梱包体は、大きめの四角形の前面保護用板体と、家具のサイド保護用板体とを組み合わせて３つの抽斗を養生させるもので、前面保護用板体の両長辺部に切り込みを２条づつ対設し、該切込みが上に向くように凹状に折曲する一方、サイド保護用板体を逆凹状に折曲してその両端部下辺を上記切り込みに嵌合係止させ、該サイド保護用板体の逆凹状に折曲形成されて画成された空間部に一の抽斗を収納保持可能とし、さらに、上記サイド保護用板体の天板部を形成する部分に２つの爪片を起立可能に形成し、該爪片間に他の抽斗を収納し、さらに、上記起立させた爪片の上部を、さらに他の抽斗のレール部に嵌合形成させることで、配管工事時に取り外される３つの抽斗を同時に養生可能に収納保持することができる。
【発明を実施するための最良の形態】
【００２５】
以下、添付図面に示す発明の実施例に基づき、この発明を詳細に説明する。
【００２６】
図１は、この発明の実施例１に係る養生スタンドの原料となる家具の梱包材の梱包状態を示す分解斜視説明図を、図２は同養生スタンドの組立て前の状態を示す斜視図を、図３は同養生スタンドを山折れ線に沿って折り曲げた状態を示す斜視図を、図４は同養生スタンドをキャップ段ボールに組み込む状態を示す斜視図を、図５は同養生スタンドに扉を立設保持した状態を示す斜視図を夫々示している。
【００２７】
即ち、本実施例１に係る家具Ｋの扉Ｄや抽斗Ｈの養生スタンドＳは、図１に示すように、家具の梱包体であるサイド保護用段ボールパネル１０の略中央部に、該パネル１０を２つ折りすることができるように山折れ線１１を凹設し、この山折れ線１１と直交する方向に４条のスリット１２，１２，１２，１２が開設されて構成されている。この４条のスリット１２，１２，１２，１２は、ミシン目で形成し、現場でミシン目に沿って破断することで形成してもよく、或は、予め印刷しておき、現場にてカッターナイフ等で切断して形成するように構成してもよい。
【００２８】
また、上記各スリット１２，１２，１２，１２の幅寸法は、この実施例１では家具Ｋの扉Ｄ（図５参照）が立設保持できるように、扉Ｄの板厚と同じ幅寸法か、若干狭く或は広く形成されている。
【００２９】
さらに、各スリット１２，１２，１２，１２の開設間隔は、複数の扉Ｄを立設保持したときに、各扉Ｄに取り付けられている蝶番（ヒンジ）や把手が衝合しない間隔を保持して開設されている。
【００３０】
このように構成されたサイド保護用段ボールパネル１０を養生スタンドＳに組み立てる場合には、図２に示す状態から山折れ線１１に沿って該パネル１０を山形状に折り曲げる。このとき、各スリット１２，１２，１２，１２は、扉Ｄを保持可能に開設されているものとする。
【００３１】
このようにして折り曲げられた上記パネル１０は、図４に示すように、家具Ｋの天板を保護する断面形状が略凹状に形成された天板用キャップ段ボール１又は底板用段ボール２に落とし込み、養生スタンドＳを組み立てる。このようにサイド保護用段ボールパネル１０を天板用キャップ段ボール１又は底板用段ボール２に組み込むことで、サイド保護用段ボールパネル１０のスリット１２に扉Ｄを嵌合係止させて立設保持したとしても、扉Ｄの自重によってサイド保護用段ボールパネル１０が平板方向に潰される心配がなくなり、扉Ｄを経時立設保持することができる。また、スリット１２間が所要距離毎に離間して開設されているので、扉Ｄ同士が衝合して他方の扉Ｄを傷損させる心配がない、という効果が得られる。
【００３２】
図６乃至図９は、この発明の実施例２に係る養生スタンドＳを示しており、この実施例２に係る養生スタンドＳは、前記サイド保護用段ボールパネル１０の両側に、山折れ線１４，１４を介して座面部１３Ａ，１３Ｂが連設された長尺段ボールで形成されている場合を示している他は、他の構成は、実施例１と同様であるので、図面には実施例１と同一の符号を付して、その詳細な説明をここでは省略する。
【００３３】
即ち、この実施例２に係る養生スタンドＳでは、平板部１０のスリット形成部位の両側であって、板長軸と直交する方向に山折り線１４，１４を夫々形成し、該山折れ線１４，１４の外側に形成された座面部１３Ａの端辺部の一方に係止溝１３Ｃを開設し、座面部１３Ｂの端辺部に、該係止溝１３Ｃに差し込み係止可能な係止片１３Ｄを突設し、座面部１３Ａ，１３Ｂを山折れ線１４，１４に沿って内側に折り込んで係止片１３Ｄを係止溝１３Ｃに係止させることで、該養生スタンドＳを、自立した状態で扉Ｄ等を倒れない状態で安定的に保持することができる。
【００３４】
図１０は、この発明の実施例３に係る養生スタンドＳを示しており、この実施例３に係る養生スタンドＤは、断面形状が凹状に組み立てられた前記天板用キャップ段ボール１又は底板用段ボール２の天板部１Ａ或は底板部２Ａから両側板部４，４にかけて凹状に複数条（本実施例３では２条）のスリット１２，１２を開設して構成することで、扉を安定的に倒れない状態で立設保持することができるように構成した他は、他の構成は、実施例１又は実施例２と同様であるので、図面には実施例１又は実施例２と同一の符号を付して、その詳細な説明をここでは省略する。
【００３５】
図１１と図１２は、この発明の実施例４に係る養生スタンドＳを示しており、この実施例４に係る養生スタンドＳは、前記天板用キャップ段ボール１又は底板用段ボール２の天板部１Ａ或は底板部２Ａに山折れ線１５を形成し、該山折れ線１５と直交する方向に、扉を挟持可能なスリット１２，１２を開設し、扉等を倒れない状態で安定的に保持することができるように構成した他は、他の構成は、実施例１乃至実施例３と同様であるので、図面には実施例１乃至実施例３と同一の符号を付して、その詳細な説明をここでは省略する。
【００３６】
図１３乃至図１５は、この発明の実施例５に係る養生スタンドＳを示しており、この実施例５に係る養生スタンドＳは、図１に示す前面保護用段ボールパネル１６と前記サイド保護用段ボールパネル１０とを組み合わせて抽斗Ｈ１，Ｈ２，Ｈ３を同時に収納可能に構成されている。
【００３７】
即ち、この実施例５に係る養生スタンドＳは、図１３に示すように、前面保護用段ボールパネル１６の長辺部に所要間隔を隔てて２条の切り込み２０，２１，２２，２３を形成すると共に、サイド保護用段ボールパネル１０の幅寸法よりも狭い寸法位置に谷折れ線２４，２５を形成する。
【００３８】
一方、サイド保護用段ボールパネル１０には、該サイド保護用段ボールパネル１０を側面形状が逆凹状となるように山折れ線１７，１７を形成し、該山折れ線１７，１７に沿って折り曲げられたサイド保護用段ボールパネル１０の両側片１０Ａ，１０Ｂの下辺部は、上記折曲された前面保護用段ボールパネル１６の切り込み２０，２１と２２，２３に夫々圧入係止されるように構成されている。
【００３９】
また、上記折り曲げられたサイド保護用段ボールパネル１０の天板部１０Ｃには、山折れ線１７，１７を残して四角形の爪片１０Ｄ，１０Ｅが、図１５に示すように、立ち上がり可能に形成されている。
【００４０】
このように組み立てられた養生スタンドＳにあっては、逆凹状に形成されたサイド保護用段ボールパネル１０の両側片１０Ａ，１０Ｂと天板部１０Ｃとで画成された空間部に、最も高さが大きな抽斗Ｈ１を収納保持させ、次に、爪片１０Ｄ，１０Ｅが立ち上げられたサイド保護用段ボールパネル１０の天板部１０Ｃの上部に、もう一つの抽斗Ｈ２を載置して保持し、さらに、上記爪片１０Ｄ，１０Ｅの上端部を抽斗Ｈ３の逆Ｕ字状に形成された両ガイドレールｈ，ｈに差し込み係止させることで、該抽斗Ｈ３を抽斗Ｈ２の上部に保持させることができるので、配管工事時に取り外される３つの抽斗Ｈ１，Ｈ２，Ｈ３を同時に養生可能に収納保持することができる。
【００４１】
尚、上記各実施例では、スリット１２や切り込み２０，２１，２２，２３をミシン目に沿って破断することで形成する場合を例にとり説明したが、この発明にあってはこれに限定されるものではなく、予めスリットや切込みの位置や形状を印刷しておき、現場で作業員がカッターナイフ等で切断して形成してもよい。
【図面の簡単な説明】
【００４２】
【図１】この発明の実施例１に係る養生スタンドの原料となる家具の梱包材の梱包状態を示す分解斜視説明図である。
【図２】同養生スタンドの組立て前の状態を示す斜視図である。
【図３】同養生スタンドを山折れ線に沿って折り曲げた状態を示す斜視図である。
【図４】同養生スタンドをキャップ段ボールに組み込む状態を示す斜視図である。
【図５】同養生スタンドに扉を立設保持した状態を示す斜視図である。
【図６】この発明の実施例２に係る養生スタンドの組立て前の状態を示す斜視図である。
【図７】同養生スタンドを山折れ線に沿って折り曲げた状態を示す斜視図である。
【図８】同養生スタンドを自立可能に組み立てた状態を示す斜視図である。
【図９】同養生スタンドに扉を立設保持した状態を示す斜視図である。
【図１０】この発明の実施例３に係る養生スタンドの構成を示す斜視図である。
【図１１】この発明の実施例４に係る養生スタンドを山折れ線に沿って折り曲げた状態を示す斜視図である。
【図１２】同養生スタンドをキャップ段ボールに組み込んだ状態を示す正面説明図である。
【図１３】この発明の実施例５に係る養生スタンドの組立て前の状態を示す斜視図である。
【図１４】同養生スタンドを他の梱包材と組み合わせて組み立てた状態を示す斜視図である。
【図１５】同養生スタンドに抽斗を収納する状態を示す斜視説明図である。
【符号の説明】
【００４３】
Ｄ  扉
Ｈ１，Ｈ２，Ｈ３  抽斗
ｈ  ガイドレール
Ｋ  家具
Ｓ  養生スタンド
１  天板用キャップ段ボール
２  底板用段ボール
１０  サイド保護用段ボールパネル
１０Ａ，１０Ｂ  両側片
１０Ｃ  天板部
１０Ｄ，１０Ｅ  爪片
１１，１４，１５，１７  山折れ線
１２  スリット
１３Ａ，１３Ｂ  座面部
１３Ｃ  係止溝
１３Ｄ  係止片
１６  前面保護用段ボールパネル
２０，２１，２２，２３  切り込み
【図１】
2007084110.tif 000003
【図２】
2007084110.tif 000004
【図３】
2007084110.tif 000005
【図４】
2007084110.tif 000006
【図５】
2007084110.tif 000007
【図６】
2007084110.tif 000008
【図７】
2007084110.tif 000009
【図８】
2007084110.tif 000010
【図９】
2007084110.tif 000011
【図１０】
2007084110.tif 000012
【図１１】
2007084110.tif 000013
【図１２】
2007084110.tif 000014
【図１３】
2007084110.tif 000015
【図１４】
2007084110.tif 000016
【図１５】
2007084110.tif 000017